(57)【要約】【課題】中継基板と演出装置との電気的な接続を容易に接続・解除可能な遊技機を提供する。【解決手段】遊技盤ベースが固定されるベース枠２と、前記ベース枠前面側に開閉自在に配設されるガラス枠３と、前記ガラス枠に備えられ、電気的な接続部を有し、光による演出を行なうことが可能な演出装置２１と、前記ベース枠背面側に備えられ、電気的な接続部を有し、前記演出装置を制御することが可能な制御基板１７と、前記演出装置の電気的な接続部と前記制御基板１７の電気的な接続部を、接続部品２４を介して電気的に接続する中継基板２２とを備え、前記中継基板は、前記ベース枠の前面側に備えられている。【選択図】    図４
2006204489.tif 000002
【特許請求の範囲】
【請求項１】
遊技機の前面側に備えられ、電気的な接続部を有し、光や音による演出を行うことが可能な演出装置と、
遊技機の背面側に備えられ、電気的な接続部を有し、前記演出装置を制御することが可能な制御基板と、
前記演出装置の電気的な接続部と前記制御基板の電気的な接続部を、接続部品を介して電気的に接続する中継基板とを備え、
前記中継基板が、遊技機の前面側に備えられていることを特徴とする遊技機。
【請求項２】
遊技盤ベースが固定されるベース枠と、
前記ベース枠前面側に開閉自在に配設される開閉体と、
前記開閉体に備えられ、電気的な接続部を有し、光や音による演出を行なうことが可能な演出装置と、
前記ベース枠背面側に備えられ、電気的な接続部を有し、前記演出装置を制御することが可能な制御基板と、
前記演出装置の電気的な接続部と前記制御基板の電気的な接続部を、接続部品を介して電気的に接続する中継基板とを備え、
前記中継基板が、前記ベース枠の前面側に備えられていることを特徴とする請求項１に記載の遊技機。
【請求項３】
中継基板は、遊技機の前面側であって、開閉体の下端部よりも下方の領域に設けられていることを特徴とする請求項２に記載の遊技機。
【請求項４】
中継基板は、接続部品の接続部を上方に向けて備えていることを特徴とする請求項１乃至３のいずれかに記載の遊技機。
【発明の詳細な説明】
【技術分野】
【０００１】
本発明は、演出装置と中継基板との接続・解除が容易な遊技機に関する。
【背景技術】
【０００２】
遊技機は、通常、外枠の前面にベース枠が回動自在に軸支され、該ベース枠の前面には、ガラス板を嵌めたガラス枠が回動自在に軸支され、遊技者は、前記ガラス板を通して前記ベース枠の前面に装着された遊技盤を視認することができるように構成されている。
さらに、従来から、遊技機のベース枠前面側に配設されたガラス枠に備えられる装飾ランプや、ベース枠の前面上部に備えられるスピーカーなどの演出装置があり、これら演出装置は遊技の進行に合わせて光や音による演出を行なうものである。
【０００３】
ところで、前記演出装置は、各制御基板によって制御されるものであるが、近年、遊技機の演出内容の多様化に伴って前記制御基板が大型化しており、このような大型化した制御基板を備え付けるにあたり、限りあるベース枠の領域内では困難を期していた。
そこで、このような問題を解決する技術的手段として、ベース枠の背面側に前記各制御基板を備える構成が採用され、これら演出装置と各制御基板とは、中継基板によって電気的に接続されている。そして、この中継基板は、前記各制御基板とともにベース枠背面側に備えられ、該中継基板と前記演出装置とは、ベース枠に穿設された貫通孔を通じて接続コードによって接続されている（特許文献１参照）。
【特許文献１】特開２００１−３４７０２６号公報
【発明の開示】
【発明が解決しようとする課題】
【０００４】
しかしながら、上記従来の遊技機では、ガラス枠の交換、ガラス枠に備えられた装飾ランプのメンテナンス、あるいはベース枠に備えられたスピーカーなどのメンテナンスをしたりするにあたり、前記装飾ランプやスピーカーなどの演出装置と前記ベース枠背面側の中継基板との接続を解く必要が生じた場合には、前記ベース枠に穿設された貫通孔からベース枠背面側に手指をいれて中継基板から接続コードを抜き取らなければならず、多大な作業手間と作業時間を要するという問題があった。
【０００５】
本発明は、このような問題を解決するためになされており、その目的とするところは、中継基板と演出装置との電気的な接続を容易に接続・解除可能な遊技機を提供することである。
【課題を解決するための手段】
【０００６】
このような目的を達成するために、第１の発明は、遊技機の前面側に備えられ、電気的な接続部を有し、光や音による演出を行うことが可能な演出装置（スピーカー２０，発光装置２１）と、遊技機の背面側に備えられ、電気的な接続部を有し、前記演出装置２０，２１を制御することが可能な制御基板（副制御基板）１７と、前記演出装置（スピーカー２０，発光装置２１）の電気的な接続部と前記制御基板１７の電気的な接続部を、接続部品（第二接続部品２４）を介して電気的に接続する中継基板２２とを備え、前記中継基板２２が、遊技機の前面側に備えられていることを特徴とする遊技機としたことである。
【０００７】
本発明によれば、遊技機の前面側に備えられた装飾ランプやスピーカーなどの演出装置２０，２１と、遊技機背面側に備えられたそれら各演出装置２０，２１を制御する各制御基板１６，１７とを電気的に接続する中継基板２２が、遊技機前面側に備えられる構成としたため、例えば、ガラス枠３に備えられた装飾ランプ（発光装置）２１やベース枠２に備えられたスピーカー２０などの演出装置のメンテナンス時において、これら演出装置２０，２１と中継基板２２との電気的な接続・解除作業が容易かつ短時間で行うことができる。これにより、例えば遊技機の外装変更などが容易かつ迅速に行うことができる。
【０００８】
第２の発明は、第１の発明において、遊技盤ベースが固定されるベース枠２と、前記ベース枠２前面側に開閉自在に配設される開閉体（ガラス枠３）と、前記開閉体３に備えられ、電気的な接続部を有し、光や音による演出を行なうことが可能な演出装置２１と、前記ベース枠２背面側に備えられ、電気的な接続部を有し、前記演出装置２１を制御することが可能な制御基板１７と、前記演出装置２１の電気的な接続部と前記制御基板１７の電気的な接続部を、接続部品（第二接続部品２４）を介して電気的に接続する中継基板２２とを備え、前記中継基板２２が、前記ベース枠２の前面側に備えられていることを特徴とする遊技機としたことである。
【０００９】
本発明によれば、ガラス枠３や皿パネル１５などのベース枠２前面側に開閉自在に配設される開閉体に備えられた演出装置２１と、ベース枠２背面側に備えられた各制御基板１７とを電気的に接続する中継基板２２が、ベース枠２の前面側に備えられている構成としたため、例えば、ガラス枠３などの開閉体の交換などで、前記演出装置２１と制御基板１７の接続部品（第二接続部品２４）の接続を解く必要が生じた場合でも、ベース枠２の背面側に手・指を回したりせずとも、前記接続が簡単に解くことができ、ガラス枠３などの開閉体の交換が容易かつ迅速に行うことができる。
【００１０】
第３の発明は、前記第１の発明において、中継基板２２は、遊技機の前面側であって、開閉体３の下端部よりも下方の領域に設けられることを特徴とする遊技機としたことである。
【００１１】
本発明によれば、遊技機前面側に設けられた演出装置２１と遊技機背面側に設けられた各制御基板１７とを電気的に接続する中継基板２２は、遊技機の前面側であって、ガラス枠３などの開閉体の下端部よりも下方の領域に設けられているので、交換時に下から上に持ち上げて取り外す構成を採用するガラス枠３などの開閉体において、中継基板２２と演出装置２１との電気的な接続を容易に解くことができ、ガラス枠３などの開閉体の交換がさらに容易となる。
【００１２】
第４の発明は、第１乃至第４のいずれかの発明において、中継基板２２は、接続部品（第二接続部品２４）が接続される接続部（演出装置側接続部２２ｂ）を上方に向けて備えていることを特徴とする遊技機としたことである。
【００１３】
本発明によれば、中継基板２２と演出装置２１との電気的な接続を解く際であっても、前記中継基板２２の接続部（演出装置側接続部２２ｂ）から演出装置２１の接続部に接続された接続部品（第二接続部品２４）を上方に引き抜けば接続が解かれ、前記中継基板２２と前記演出装置２１とを電気的に接続する際であっても、前記中継基板２２の接続部から演出装置２１の接続部に接続された接続部品（第二接続部品２４）を下方に押し込めば接続が完了されるので、ガラス枠３などの開閉体の着脱交換の作業が容易になり、作業に要する手間と時間を節約することが可能である。
【発明の効果】
【００１４】
本発明によれば、中継基板と演出装置との電気的な接続を容易に接続・解除可能な遊技機を提供することができるようになった。
【発明を実施するための最良の形態】
【００１５】
以下、本発明の一実施形態について説明する。なお、本実施形態は本発明の一例にすぎずなんらこれに限定解釈されるものではなく、本発明の範囲内で設計変更可能である。
なお、以下に説明する実施例では、本発明遊技機の一実施例として、弾球遊技機（いわゆるパチンコ遊技機）をもって説明するが、本発明遊技機は、これに限定されず、回胴式遊技機（いわゆるパチスロ機）においても適用可能である。
【実施例１】
【００１６】
図１は本発明を適用した遊技機の斜視図で、図２はその正面図、図３は背面図、図４は遊技機のガラス枠を開いた状態を示す概略斜視図、図５は中継基板の概略斜視図である。
遊技機は、図１に示すように、外枠１の前面にベース枠２が回動自在に軸支され、該ベース枠２の前面には、遊技盤ベースに始動入賞口，ステージ，遊技釘などの種々の遊技部材を備えて遊技領域を構成した図示しない遊技盤が着脱自在に装着され、該遊技盤の背面には、装飾的な演出表示等を行ったりする液晶演出表示装置（ＬＣＤ：Liquid Crystal Display）などの演出表示装置１４が着脱自在に装着されている。なお、演出表示装置を備えない実施の形態も本発明の範囲内である。
【００１７】
また、前記ベース枠２の前面には、ガラスフレーム３ａを介してガラス板４を嵌めたガラス枠（開閉体）３が回動自在に軸支され、該ガラス枠３の閉鎖時には、該ガラス枠３の前側からガラス板４を介して前記遊技盤が視認される。本実施例では、ベース枠２の前面下部領域に貸球及び賞球を受け止める上皿５が一体的に備えられている。前記上皿５の上面には遊技球の貸し出し操作を行うための球貸操作パネル８が設けられ、前記上皿５の前面には演出の選択と決定の操作を行うための演出ボタン９がそれぞれ設けられている。
【００１８】
前記ベース枠２の前面下部には、前記ベース枠２に一体的に備えられた上皿５の満杯時に、球出口の内方で溢れた球を受け止める下皿６を備えた皿パネル（開閉体）１５が回動自在に軸支され、そして該皿パネル１５の軸支側と反対側の前面下部には、前記皿パネル１５の端部切欠き領域を介して発射装置のハンドル７が備えられている。そして前記ハンドル７のレバー７ａを時計回り方向に回転させることにより、例えば内蔵する発射ソレノイド１２を作動させて遊技球を表側の遊技領域に打ち出すことができる。
【００１９】
そして、ベース枠２の背面、すなわち前記演出表示装置１４の背面には、遊技の進行を制御する主制御基板１６、遊技の進行に合わせて遊技の演出を行う演出装置を制御する副制御基板１７などの各制御基板を配設した基板ベース１８が装着されている。なお、前記各制御基板１６，１７はそれぞれ電気的な接続部を有し、基板カバー１９によって覆われている。
【００２０】
前記演出装置は、遊技機の前面側に備えられ、例えば、本実施例では、前記ベース枠２の前面上部に備えられ、音による演出を行う演出装置としてのスピーカー２０と、前記ガラス枠３の前側両縁部に備えられ、光による演出を行う演出装置としての発光装置２１、例えば複数のＬＥＤと、該ＬＥＤを発光させるＬＥＤ基板２１ａとで構成された発光装置が一例として挙げられる。なお、図面では、ＬＥＤを図示しないが、カバー部材２１ｂの内方に所定の配列をもって備えられている。
前記各演出装置２０，２１は、それぞれ電気的な接続部を有し、中継基板２２を介して前記副制御基板１７と電気的に接続されている。
【００２１】
なお、図３に示すように、ベース枠２の背面には、例えば、ベース枠上部に配され貸球及び賞球を貯蔵する球タンク１０、該球タンク１０からガラス枠３前側下部の上皿５に貸球及び賞球を誘導する球通路１１がそれぞれ配されており、また図４に示すように、ベース枠２の前面側には、発射ソレノイド１２、ファール球回収樋構造１３等が設けられている。
【００２２】
前記中継基板２２は、図４及び図５に示すように、遊技機の前面側に設けられており、前記各制御基板１６，１７に接続された図示しない接続部品（第一接続部品）と、前記各演出装置２０，２１に接続された接続部品（第二接続部品）２４とを電気的に中継する部材である。
例えば本実施例では、図４に示すように、前記ベース枠２の前面側で、ガラス枠３の下端部よりも下方の領域に設けられている。
【００２３】
中継基板２２は、例えば、本実施例では、図５に示すように、平面視矩形状で、図５にて前後方向に二分した後側の領域に、前記第一接続部品２３が接続される制御基板側接続部２２ａを備え、前側の領域に、前記第二接続部品２４が接続される演出装置側接続部２２ｂを備え、双方の接続部２２ａ，２２ｂは中継基板２２上で電気的に接続されている。
さらに、本実施例では、前記制御基板側接続部２２ａと前記演出装置側接続部２２ｂは、それぞれ上方に向けて開放されており、接続部２２ａ，２２ｂの開放側から、第一接続部品２３・第二接続部品２４が接続される構造となっている。
【００２４】
また本実施例では、基板を埃等から保護するため、基板ケース２５に収容された状態でベース枠２の所定箇所に固定して配設される。
例えば図５に示すように、本実施例では基板上ケース２５ａと基板下ケース２５ｂからなる上下分割型の基板ケース２５が用いられ、基板上ケース２５ａには基板収容時に基板上ケース２５ａ外から第一接続部品２３・第二接続部品２４を接続可能にする前記制御基板側接続部２２ａと前記演出装置側接続部２２ｂが貫通して備えられている。
また、前記基板ケース２５には、該ケース２５をベース枠２側に固定するための第一舌片２２ｃと第二舌片２２ｄが配され、それらの舌片２２ｃ，２２ｄの先端側には断面視矢尻状の係止部２２ｅ，２２ｆが備えられ、ベース枠２に備えられる被係止部と係止嵌合することによって中継基板２２がベース枠２側に固定して配設される。
【００２５】
前記第一・第二接続部品２３，２４は、前記各制御基板１６，１７と前記中継基板２２と前記演出装置２０，２１とを電気的に接続する部品であって、例えばコネクタやコード等が採用される。
【００２６】
そして、図４に示すように、中継基板２２の演出装置側接続部２２ｂには、一端をガラス枠３に備えた演出装置（発光装置）２１の接続部に接続した第二接続部品２４の他端が接続される。また、中継基板２２の制御基板側接続部２２ａには、一端を制御基板（副制御基板）１７の接続部に接続した第一接続部品の他端が接続される。
【００２７】
従って、本発明を適用した遊技機のガラス枠３を取り外す場合には、まず、ガラス枠３を開き、次に、演出装置（発光装置）２１に接続されている第二接続部品２４を中継基板２２の演出装置側接続部２２ｂから取り外し、さらに、ガラス枠３を上方に持ち上げて、ガラス枠３をガラス枠軸支ピンから外して、ガラス枠３の取り外し作業が完了する。なお、ガラス枠３の組み付け作業は前記取り外し作業の逆の手順で行なわれる。
【００２８】
本実施例では、中継基板２２はベース枠２前面側のガラス枠３の下端部よりも下方の領域にて、第一接続部品２３と第二接続部品２４が接続される制御基板側接続部２２ａと演出装置側接続部２２ｂのそれぞれを上方に向けて配されているが、中継基板演出装置側接続部２２ｂに接続される第二接続部品２４の位置に応じて、中継基板２２の配置を変更することも可能である。例えば、演出装置としてベース枠２の上部に設けられたスピーカー２０の接続部品と中継基板２２の演出装置側接続部２２ｂを接続する場合には、中継基板２２はベース枠２前面側の上部に配されていても良い。その場合には、中継基板２２の各接続部（制御基板側接続部２２ａと演出装置側接続部２２ｂ）が下方に向くように配置されることが好ましい。なお、中継基板２２は、少なくとも演出装置側接続部２２ｂがベース枠２の前面側に備えられる形態であれば本発明の範囲内であり、中継基板２２の形態・配設箇所に限定解釈はされない。
【図面の簡単な説明】
【００２９】
【図１】本発明による遊技機の一実施例を示す概略斜視図。
【図２】本発明による遊技機の一実施例を示す概略正面図。
【図３】本発明による遊技機の一実施例を示す背面図。
【図４】遊技機のガラス枠を開いた状態を示す概略斜視図。
【図５】中継基板の概略斜視図。
【符号の説明】
【００３０】
２  ベース枠
３  開閉体（ガラス枠）
１６  制御基板（主制御基板）
１７  制御基板（副制御基板）
２０  演出装置（スピーカ）
２１  演出装置（発光装置）
２２  中継基板
２４  第二接続部品
【図１】
2006204489.tif 000003
【図２】
2006204489.tif 000004
【図３】
2006204489.tif 000005
【図４】
2006204489.tif 000006
【図５】
2006204489.tif 000007